(57)【特許請求の範囲】
【請求項１】
施設の入口エリアに立ち入った訪問者を、当該訪問者に携帯させたＩＤ発信装置を利用して、前記施設内の複数の管理エリアのうちのいずれか一つへと誘導する訪問者誘導システムであって、
ＩＤ発信装置のＩＤ情報と訪問者の訪問先名称とを関連づけて記憶する訪問先記憶手段と、
訪問先名称に対応する経路情報を記憶する経路記憶手段と、
前記入口エリアに設けられた入口用読取装置と、
前記管理エリアに設けられた進入阻止手段と、
前記進入阻止手段を制御する制御装置と、を備えており、
前記進入阻止手段は、行き来可能な他の前記管理エリア又は前記入口エリアからの進入を許可する進入許可状態および進入を禁止する進入禁止状態を選択可能に構成されており、
前記経路情報には、進入禁止エリア名が含まれており、
前記入口用読取装置は、前記ＩＤ発信装置から発信されたＩＤ情報を受信する手段と、受信したＩＤ情報を前記制御装置に送信する手段とを有し、
前記制御装置は、前記入口用読取装置から送信されたＩＤ情報に対応する訪問先名称を前記訪問者記憶手段の中から読み出す手段と、読み出した訪問先名称に対応する経路情報を前記経路記憶手段の中から読み出す手段と、読み出した経路情報に含まれている進入禁止エリア名に対応する管理エリアの前記進入阻止手段に対し、進入禁止状態を選択させるための進入禁止信号を送信する手段とを有する、ことを特徴とする訪問者誘導システム。
【請求項２】
施設の入口エリアに立ち入った訪問者を、当該訪問者に携帯させたＩＤ発信装置を利用して、前記施設内の複数の管理エリアのうちのいずれか一つへと誘導する訪問者誘導システムであって、
訪問先名称に対応する経路情報を記憶する経路記憶手段と、
前記入口エリアに設けられた入口用読取装置と、
前記管理エリアに設けられた進入阻止手段と、
前記進入阻止手段を制御する制御装置と、を備えており、
前記進入阻止手段は、行き来可能な他の前記管理エリア又は前記入口エリアからの進入を許可する進入許可状態および進入を禁止する進入禁止状態を選択可能に構成されており、
前記ＩＤ発信装置には、これを携帯する訪問者の訪問先名称が記憶されており、
前記経路情報には、進入禁止エリア名が含まれており、
前記入口用読取装置は、ＩＤ発信装置から発信された訪問先名称を受信する手段と、受信した訪問先名称を前記制御装置に送信する手段とを有し、
前記制御装置は、前記入口用読取装置から送信された訪問先名称に対応する経路情報を前記経路記憶手段の中から読み出す手段と、読み出した経路情報に含まれている進入禁止エリア名に対応する管理エリアの前記進入阻止手段に対し、進入禁止状態を選択させるための進入禁止信号を送信する手段とを有する、ことを特徴とする訪問者誘導システム。
【請求項３】
施設の入口エリアに立ち入った訪問者を、当該訪問者に携帯させたＩＤ発信装置を利用して、前記施設内の複数の管理エリアのうちのいずれか一つへと誘導する訪問者誘導システムであって、
訪問先名称に対応する経路情報を記憶する経路記憶手段と、
前記入口エリアに設けられた入口用読取装置と、
前記管理エリアに設けられた進入阻止手段と、
前記進入阻止手段を制御する制御装置と、を備えており、
前記進入阻止手段は、行き来可能な他の前記管理エリア又は前記入口エリアからの進入を許可する進入許可状態および進入を禁止する進入禁止状態を選択可能に構成されており、
前記ＩＤ発信装置には、進入禁止エリア名が記憶されており、
前記入口用読取装置は、ＩＤ発信装置から発信された進入禁止エリア名を前記制御装置に送信する手段を有し、
前記制御装置は、前記入口用読取装置から送信された進入禁止エリア名に対応する管理エリアの前記進入阻止手段に対し、進入禁止状態を選択させるための進入禁止信号を送信する手段とを有する、ことを特徴とする訪問者誘導システム。
【請求項４】
施設の入口エリアに立ち入った訪問者を、当該訪問者に携帯させたＩＤ発信装置を利用して、前記施設内の複数の管理エリアのうちのいずれか一つへと誘導する訪問者誘導システムであって、
ＩＤ発信装置のＩＤ情報と前記訪問者の訪問先名称とを関連づけて記憶する訪問先記憶手段と、
訪問先名称に対応する経路情報を記憶する経路記憶手段と、
前記入口エリアに設けられた入口用読取装置と、
前記管理エリアに設けられた進入阻止手段と、
前記進入阻止手段を制御する制御装置と、を備えており、
前記進入阻止手段は、行き来可能な他の前記管理エリア又は前記入口エリアからの進入を許可する進入許可状態および進入を禁止する進入禁止状態を選択可能に構成されており、
前記経路情報には、進入許可エリア名が含まれており、
前記入口用読取装置は、前記ＩＤ発信装置から発信されたＩＤ情報を受信する手段と、受信したＩＤ情報を前記制御装置に送信する手段とを有し、
前記制御装置は、前記入口用読取装置から送信されたＩＤ情報に対応する訪問先名称を前記訪問者記憶手段の中から読み出す手段と、読み出した訪問先名称に対応する経路情報を前記経路記憶手段の中から読み出す手段と、読み出した経路情報に含まれている進入許可エリア名に対応する管理エリアの前記進入阻止手段に対し、進入許可状態を選択させるための進入許可信号を送信するとともに、進入許可エリア名に対応する管理エリア以外の管理エリアの前記進入阻止手段に対し、進入禁止状態を選択させるための進入禁止信号を送信する手段とを有する、ことを特徴とする訪問者誘導システム。
【請求項５】
複数の前記管理エリアおよび前記入口エリアの少なくとも一つに所在確認用読取装置が設けられており、
前記所在確認用読取装置は、前記ＩＤ発信装置から発信されたＩＤ情報を受信する手段と、受信したＩＤ情報を前記制御装置に送信する手段とを有し、
前記制御装置は、前記入口用読取装置にて前記ＩＤ情報が受信されてから前記所在確認用読取装置にて前記ＩＤ情報が受信されるまでの時間差に基づいて、前記訪問者の移動速度を算出する手段と、算出した移動速度に基づいて、前記所在確認用読取装置よりも前方の管理エリアに到達する時刻を算出する手段とを有し、前記訪問者が前記所在確認用読取装置よりも前方の管理エリアに到達するまでに、当該管理エリアの前記進入阻止手段に対して進入禁止信号を送信する、ことを特徴とする請求項１乃至請求項４のいずれか一項に記載の訪問者誘導システム。
【請求項６】
前記進入阻止手段は、前記入口用読取装置の近傍の訪問者から視認できない位置に設けられている、ことを特徴とする請求項１乃至請求項５のいずれか一項に記載の訪問者誘導システム。
【発明の詳細な説明】
【技術分野】
【０００１】
本発明は、訪問者誘導システムに関する。
【背景技術】
【０００２】
オフィス、研究所、工場、病院、美術館、博物館などの施設においては、機密管理上の理由や安全上の理由などにより、施設関係者以外の入場者（訪問者）の訪問先や行動可能範囲を制限する場合がある。
【０００３】
特許文献１には、施設内の機密セクションの入口に入場ゲートを設けるとともに、機密セクションの外側に受付用端末を設け、受付用端末に入力した情報が事前登録された予約情報と一致している場合に、訪問者の入場ゲート内への立ち入りを許可する、という来客受付システムが開示されている。この来客受付システムによれば、機密セクション内への立ち入りが許可された訪問者のみを、機密セクション内に入場させることができる。
【０００４】
また、特許文献２には、病室への訪問者を管理する病室訪問者管理システムであって、病室に至る経路においても訪問者を把握して病室まで案内し、訪問者に関係のない病室や侵入禁止箇所への侵入があったならば訪問者に対して警告を発する、という病室訪問者管理システムが開示されている。なお、特許文献２のシステムでは、病室に至る廊下等の経路に案内装置を設け、訪問者が進むべき方向を案内装置に表示している。
【先行技術文献】
【特許文献】
【０００５】
【特許文献１】特開平１１−２５９７１２号公報
【特許文献２】特開２００９−１１０２９４号公報
【発明の概要】
【発明が解決しようとする課題】
【０００６】
特許文献１のシステムでは、入場ゲート内に立ち入った後の行動範囲を制限し難いという問題がある。
【０００７】
特許文献２のシステムでは、訪問者の進むべき方向が案内装置に表示されるものの、各病室にゲート等を設けている訳ではないので、訪問先以外の病室に誤って立ち入ることを完全に防ぐことはできない。
【０００８】
このような観点から、本発明は、施設への訪問者を訪問先に誘導する訪問者誘導システムであって、訪問先以外のエリアに誤って立ち入ることを防止することが可能な訪問者誘導システムを提供することを課題とする。
【課題を解決するための手段】
【０００９】
前記課題を解決する請求項１に係る発明は、施設の入口エリアに立ち入った訪問者を、当該訪問者に携帯させたＩＤ発信装置を利用して、前記施設内の複数の管理エリアのうちのいずれか一つへと誘導する訪問者誘導システムであって、ＩＤ発信装置のＩＤ情報と訪問者の訪問先名称とを関連づけて記憶する訪問先記憶手段と、訪問先名称に対応する経路情報を記憶する経路記憶手段と、前記入口エリアに設けられた入口用読取装置と、前記管理エリアに設けられた進入阻止手段と、前記進入阻止手段を制御する制御装置とを備えており、前記進入阻止手段は、行き来可能な他の前記管理エリア又は前記入口エリアからの進入を許可する進入許可状態および進入を禁止する進入禁止状態を選択可能に構成されており、前記経路情報には、進入禁止エリア名（訪問者に立ち入らせたくない管理エリアの名称）が含まれており、前記入口用読取装置は、前記ＩＤ発信装置から発信されたＩＤ情報を受信する手段と、受信したＩＤ情報を前記制御装置に送信する手段とを有し、前記制御装置は、前記入口用読取装置から送信されたＩＤ情報に対応する訪問先名称を前記訪問者記憶手段の中から読み出す手段と、読み出した訪問先名称に対応する経路情報を前記経路記憶手段の中から読み出す手段と、読み出した経路情報に含まれている進入禁止エリア名に対応する管理エリアの前記進入阻止手段に対し、進入禁止状態を選択させるための進入禁止信号を送信する手段とを有する、ことを特徴とする。
【００１０】
前記課題を解決する請求項２に係る発明は、ＩＤ発信装置に「訪問先名称」が記憶される場合の訪問者誘導システムである。
すなわち、請求項２に係る発明は、施設の入口エリアに立ち入った訪問者を、当該訪問者に携帯させたＩＤ発信装置を利用して、前記施設内の複数の管理エリアのうちのいずれか一つへと誘導する訪問者誘導システムであって、訪問先名称に対応する経路情報を記憶する経路記憶手段と、前記入口エリアに設けられた入口用読取装置と、前記管理エリアに設けられた進入阻止手段と、前記進入阻止手段を制御する制御装置とを備えており、前記進入阻止手段は、行き来可能な他の前記管理エリア又は前記入口エリアからの進入を許可する進入許可状態および進入を禁止する進入禁止状態を選択可能に構成されており、前記ＩＤ発信装置には、これを携帯する訪問者の訪問先名称が記憶されており、前記経路情報には、進入禁止エリア名（訪問者に立ち入らせたくない管理エリアの名称）が含まれており、前記入口用読取装置は、ＩＤ発信装置から発信された訪問先名称を受信する手段と、受信した訪問先名称を前記制御装置に送信する手段とを有し、前記制御装置は、前記入口用読取装置から送信された訪問先名称に対応する経路情報を前記経路記憶手段の中から読み出す手段と、読み出した経路情報に含まれている進入禁止エリア名に対応する管理エリアの前記進入阻止手段に対し、進入禁止状態を選択させるための進入禁止信号を送信する手段とを有する、ことを特徴とする。
【００１１】
前記課題を解決する請求項３に係る発明は、ＩＤ発信装置に「進入禁止エリア名」が記憶される場合の訪問者誘導システムである。
すなわち、請求項３に係る発明は、施設の入口エリアに立ち入った訪問者を、当該訪問者に携帯させたＩＤ発信装置を利用して、前記施設内の複数の管理エリアのうちのいずれか一つへと誘導する訪問者誘導システムであって、訪問先名称に対応する経路情報を記憶する経路記憶手段と、前記入口エリアに設けられた入口用読取装置と、前記管理エリアに設けられた進入阻止手段と、前記進入阻止手段を制御する制御装置とを備えており、前記進入阻止手段は、行き来可能な他の前記管理エリア又は前記入口エリアからの進入を許可する進入許可状態および進入を禁止する進入禁止状態を選択可能に構成されており、前記ＩＤ発信装置には、進入禁止エリア名（訪問者に立ち入らせたくない管理エリアの名称）が記憶されており、前記入口用読取装置は、ＩＤ発信装置から発信された進入禁止エリア名を前記制御装置に送信する手段を有し、前記制御装置は、前記入口用読取装置から送信された進入禁止エリア名に対応する管理エリアの前記進入阻止手段に対し、進入禁止状態を選択させるための進入禁止信号を送信する手段とを有する、ことを特徴とする。
【００１２】
請求項１乃至請求項３に係る発明によれば、訪問者ごとに進入禁止エリアが設定されるようになる。つまり、本発明によれば、施設を訪れた訪問者は、進入禁止エリア名に対応する管理エリア以外の管理エリアを通行するようになるので、訪問者を特定の管理エリア（訪問先）に誘導しつつ、行動範囲を制限することが可能となる。
【００１３】
前記課題を解決する請求項４に係る発明は、経路情報に進入許可エリア名（訪問者の進入が許可されている管理エリアの名称）が含まれている場合の訪問者誘導システムである。
すなわち、請求項４に係る発明は、施設の入口エリアに立ち入った訪問者を、当該訪問者に携帯させたＩＤ発信装置を利用して、前記施設内の複数の管理エリアのうちのいずれか一つへと誘導する訪問者誘導システムであって、ＩＤ発信装置のＩＤ情報と前記訪問者の訪問先名称とを関連づけて記憶する訪問先記憶手段と、訪問先名称に対応する経路情報を記憶する経路記憶手段と、前記入口エリアに設けられた入口用読取装置と、前記管理エリアに設けられた進入阻止手段と、前記進入阻止手段を制御する制御装置とを備えており、前記進入阻止手段は、行き来可能な他の前記管理エリア又は前記入口エリアからの進入を許可する進入許可状態および進入を禁止する進入禁止状態を選択可能に構成されており、前記経路情報には、進入許可エリア名が含まれており、前記入口用読取装置は、前記ＩＤ発信装置から発信されたＩＤ情報を受信する手段と、受信したＩＤ情報を前記制御装置に送信する手段とを有し、前記制御装置は、前記入口用読取装置から送信されたＩＤ情報に対応する訪問先名称を前記訪問者記憶手段の中から読み出す手段と、読み出した訪問先名称に対応する経路情報を前記経路記憶手段の中から読み出す手段と、読み出した経路情報に含まれている進入許可エリア名に対応する管理エリアの前記進入阻止手段に対し、進入許可状態を選択させるための進入許可信号を送信するとともに、進入許可エリア名に対応する管理エリア以外の管理エリアの前記進入阻止手段に対し、進入禁止状態を選択させるための進入禁止信号を送信する手段とを有する、ことを特徴とする。
【００１４】
請求項４に係る発明によれば、訪問者ごとに進入許可エリアが設定されるようになり、進入許可エリア以外の管理エリアへの進入が禁止された状態となる。つまり、本発明によれば、施設を訪れた訪問者は、進入許可エリア名に対応する管理エリアを通行するようになるので、訪問者を特定の管理エリア（訪問先）に誘導しつつ、行動範囲を制限することが可能となる。
【００１５】
なお、本発明を適用可能な施設に制限はなく、例えば、オフィス、研究所、工場、病院、美術館、博物館等に適用することができる。
「管理エリア」は、訪問者の立ち入りを管理したい領域であり、「入口エリア」は、玄関ホール、ロビー、エレベータホール、守衛所、受付など、訪問者が通行あるいは立ち寄らざるを得ない領域である。
「訪問先名称」とは、訪問先を特定するための情報である。「訪問先名称」には、「第１会議室」や「打合せコーナー」といった具体的な名称だけでなく、訪問先と関連付けられたＩＤ番号や記号も含まれる。
「進入禁止エリア名」とは、訪問者に立ち入らせたくない管理エリアの名称（管理エリアを特定するための情報）であり、「進入許可エリア名」とは、訪問者の進入が許可されている管理エリアの名称（管理エリアを特定するための情報）である。「進入禁止エリア名」および「進入許可エリア名」には、「廊下」や「研究室」といった具体的な名称だけでなく、管理エリアと関連付けられたＩＤ番号や記号も含まれる。
【００１６】
「進入阻止手段」は、訪問者を管理エリアに立ち入らせないようにするための手段である。「進入阻止手段」には、訪問者の進入を物理的に阻止し得る手段（例えば、管理エリアの入口等に設けられた開き戸、引き戸、柵、障害物など）のほか、訪問者の進入を物理的に阻止し得ないまでも、管理エリアを覆い隠すか、あるいは、管理エリアの存在を認識させ難くすることにより、訪問者の進入を心理的に阻止し得る手段（例えば、カーテン、ロールスクリーン、幕、照明機器、ウォータースクリーン、レーザプロジェクタなど）も含まれる。
「進入許可状態」とは、訪問者の進入を妨げない状態（例えば、開き戸や引き戸を開扉あるいは解錠した状態、柵や障害物を収容した状態、カーテンやロールスクリーンを開けた状態、幕を上げた状態、照明機器を点灯させた状態）を意味する。
「進入禁止状態」は、訪問者の進入を妨げ得る状態（例えば、開き戸や引き戸を閉扉あるいは施錠した状態、柵や障害物を出現させた状態、カーテンやロールスクリーンを閉じた状態、幕を下げた状態、照明機器を消灯させた状態）を意味する。
【００１７】
複数の前記管理エリアおよび前記入口エリアの少なくとも一つに所在確認用読取装置（前記ＩＤ発信装置から発信されたＩＤ情報を受信する手段と、受信したＩＤ情報を前記制御装置に送信する手段とを有するもの）を設けてもよい。このようにすると、訪問者の所在を把握することが可能となる。
【００１８】
所在確認用読取装置を設けた場合には、前記入口用読取装置にて前記ＩＤ情報が受信されてから前記所在確認用読取装置にて前記ＩＤ情報が受信されるまでの時間差に基づいて、前記訪問者の移動速度を算出する手段と、算出した移動速度に基づいて、前記所在確認用読取装置よりも前方の管理エリアに到達する時刻を算出する手段とを前記制御装置に具備させ、前記訪問者が前記所在確認用読取装置よりも前方の管理エリアに到達するまでに、当該管理エリアの前記進入阻止手段に対して進入禁止信号を送信するとよい。このようにすると、訪問者が進入禁止エリアに到達する前に進入阻止手段を「進入禁止状態」に切り替えることができるので、訪問者の行動範囲を的確に制限することができる。
【００１９】
なお、進入阻止手段の動作状況（特に、進入許可状態から進入禁止状態に移行する動作）を訪問者が目にすると、「監視されている」という不快な印象を受ける虞があるので、前記進入阻止手段は、前記入口用読取装置の近傍の訪問者から視認できない位置に設けることが好ましい。
【発明の効果】
【００２０】
本発明によれば、訪問者の行動範囲を制限しつつ、訪問者を特定のエリア（訪問先）に誘導することが可能となる。
【図面の簡単な説明】
【００２１】
【図１】本発明の実施形態に係る訪問者誘導システムを適用する施設の見取図である。
【図２】本発明の実施形態に係る訪問者誘導システムの概要構成図である。
【図３】本発明の実施形態に係る訪問者誘導システムの機能ブロック図である。
【図４】（ａ）は入退場管理ファイルの内容を示す図、（ｂ）は経路設定ファイルの内容を示す図である。
【発明を実施するための形態】
【００２２】
本発明の実施形態に係る訪問者誘導システムは、図１に示すように、複数の管理エリアＢ1，Ｂ2，…に区分された施設への訪問者Ｖを、入口エリアＡから特定の管理エリア（訪問先）Ｂに誘導するものである。なお、管理エリアＢ1，Ｂ2，…を区別しない場合には、符号に付した添え字を省略する。
【００２３】
本実施形態において、入口エリアＡは、建物のエントランスホール、洗面所およびエントランスホールから始まる廊下である。管理エリアＢ1〜Ｂ3の名称は、「会議室Ｃ１〜Ｃ３」とし、管理エリアＢ4〜Ｂ7の名称は、「廊下Ｃ４〜Ｃ７」とする。また、本実施形態では、施設への入退場手続を行う受付コーナーＤが入口エリアＡに設けられている場合を例示するが、複数棟の建物からなる施設や多層階建ての建物からなる施設などにおいては、入口エリアＡの外側に受付コーナーＤを設けてもよい。
【００２４】
本実施形態に係る訪問者誘導システムは、図２に示すように、ＩＤ発信装置１と、データ記憶サーバ２と、受付用読取装置３と、受付用コンピュータ４と、入口用読取装置５と、所在確認用読取装置６，６，…と、進入阻止手段７1，７2，…と、制御用コンピュータ（制御装置）８と、を備えている。なお、進入阻止手段７1，７2，…を区別しない場合には、符号に付した添え字を省略する。
【００２５】
データ記憶サーバ２、受付用コンピュータ４、入口用読取装置５、所在確認用読取装置６、進入阻止手段７および制御用コンピュータ８は、データを互いに送受信できるよう、有線または無線のネットワーク回線（インターネット回線やＬＡＮ回線など）Ｎに接続されている。受付用読取装置３は、受付用コンピュータ４に接続されている。また、ネットワーク回線Ｎには、訪問を受ける担当者用のコンピュータ９も接続されており、コンピュータ９を介して、データの閲覧や書き込みができるようになっている。
【００２６】
ＩＤ発信装置１は、いわゆるＲＦタグ（ＩＣタグ）であり、ＩＤ情報を記憶する記憶手段、当該記憶手段に記憶されたデータ（ＩＤ情報等）を読み出して発信（送信）する手段などを備えている。ＩＤ発信装置１は、受付コーナーＤにおいて訪問者Ｖに手渡し、訪問者Ｖが退場するまで訪問者Ｖに携帯させる。なお、ＲＦタグの種類に制限はなく、パッシブタグ、アクティブタグ、セミアクティブタグのいずれを使用してもよい。
【００２７】
データ記憶サーバ２は、訪問者識別情報（訪問者の氏名、所属会社名など）、訪問先名称、経路情報、訪問者Ｖに携帯させたＩＤ発信装置１のＩＤ情報、入退場の時刻など、訪問者の行動を管理するために必要なデータを記憶するものであって、ＩＤ発信装置１のＩＤ情報と訪問者Ｖの訪問先名称とを関連づけて記憶する訪問先記憶手段および訪問先名称に対応する経路情報を記憶する経路記憶手段として機能する。本実施形態のデータ記憶サーバ２は、ネットワーク回線Ｎに接続されたファイルサーバであり、ネットワーク回線Ｎに接続されたコンピュータ等を利用してデータの読み込み若しくは書き込みを行うことができる。なお、本実施形態では、データ記憶サーバ２を訪問先記憶手段および経路記憶手段として機能させる場合を例示するが、受付用コンピュータ４や制御用コンピュータ８の記憶装置を訪問先記憶手段および経路記憶手段として機能させても勿論差し支えない。
【００２８】
訪問者識別情報および訪問先名称は、ネットワーク回線Ｎに接続されたコンピュータ９などを利用して事前にデータ記憶サーバ２に書き込んでおくか、あるいは、訪問者Ｖが受付コーナーＤを訪れた際に、受付用コンピュータ４を利用してデータ記憶サーバ２の「入退場管理ファイル」に書き込めばよい。訪問者識別情報および訪問先名称は、互いに関連づけられた状態で「入退場管理ファイル」に格納される（図４の（ａ）参照）。なお、入力操作は、訪問を受ける担当者（図示略）、受付コーナーＤの係員または訪問者Ｖ自身が行う。
【００２９】
経路情報には、入口エリアＡから訪問先に至るまでに立ち入る必要がある管理エリアＢの名称（進入許可エリア名）と、訪問者に立ち入らせたくない管理エリアＢの名称（進入禁止エリア名）と、入口用読取装置５から各所在管理用読取装置６までの距離と、各所在管理用読取装置６から各管理エリアＢまでの距離とが含まれている。経路情報は、訪問先ごとに予め作成しておき、データ記憶サーバ２の「経路設定ファイル」に書き込んでおく。なお、複数の管理エリアＢ1，Ｂ2，…の総てについて経路情報を作成してもよいが、図４の（ｂ）に示すように、少なくとも、訪問先となり得る会議室Ｃ１〜Ｃ３（管理エリアＢ1〜Ｂ3）について、経路情報を作成すればよい。
【００３０】
より詳細に説明すると、例えば、訪問先を「会議室Ｃ１」とする場合、入口エリアＡから会議室Ｃ１に至るまでに立ち入る必要があるのは、入口エリアＡを除いては管理エリアＢ1（＝会議室Ｃ１）のみであるから（図１参照）、訪問先が「会議室Ｃ１」である場合の「進入許可エリア名」として、「会議室Ｃ１」を経路設定ファイルに書き込んでおけばよい。訪問者Ｖに立ち入らせたくない管理エリアＢは適宜設定すればよいが、「管理エリアＢ4〜Ｂ6（＝廊下Ｃ４〜Ｃ６）には立ち入らせたくない」ということであれば、訪問先が「会議室Ｃ１」である場合の「進入禁止エリア名」として、「廊下Ｃ４」、「廊下Ｃ５」および「廊下Ｃ６」を経路設定ファイルに書き込んでおけばよい。なお、廊下Ｃ７（管理エリアＢ7）を進入禁止エリア名に含めてもよいが、廊下Ｃ７の手前に位置する「廊下Ｃ６」を進入禁止エリアに設定しているので、廊下Ｃ７は進入禁止エリアに指定していない。
また、例えば、訪問先を「会議室Ｃ２」とする場合、入口エリアＡから会議室Ｃ２に至るまでに立ち入る必要があるのは、入口エリアＡを除いては管理エリアＢ6（廊下Ｃ６）と管理エリアＢ2（＝会議室Ｃ２）であるから（図１参照）、訪問先が「会議室Ｃ２」である場合の「進入許可エリア名」は、「廊下Ｃ６」および「会議室Ｃ２」となり、「管理エリアＢ1，Ｂ4，Ｂ5，Ｂ7には立ち入らせたくない」ということであれば、訪問先が「会議室Ｃ２」である場合の「進入禁止エリア名」は、「会議室Ｃ１」、「廊下Ｃ４」、「廊下Ｃ５」および「廊下Ｃ７」となる。
【００３１】
ＩＤ情報は、ＩＤ発信装置１を識別するための情報（例えば、番号、文字、記号など）であり、ＩＤ発信装置１に予め記憶されている。
【００３２】
受付用読取装置３は、電波や電磁界を利用してＩＤ発信装置１と無線通信を行い、ＩＤ発信装置１から発信されたデータ（ＩＤ情報等）を受信するものであり、受付コーナーＤに設置されている。受信したデータは、受付用コンピュータ４に出力される。
【００３３】
受付用コンピュータ４は、入力装置（キーボードやポインティングデバイスなど）、表示装置（ディスプレイ）などのほか、図示は省略するが、記憶装置、演算処理装置、ネットワークアダプタなどを備えていて、これらが連携することで、データ記憶サーバ２の中から入退場管理ファイルを読み出す手段、読み出した入退場管理ファイルの内容を表示装置に表示する手段として機能する。さらに、受付用コンピュータ４は、訪問者識別情報とＩＤ発信装置１のＩＤ情報とを関連付ける処理を行う。例えば、受付コーナーＤの係員または訪問者Ｖ自身の操作により、受付コーナーＤを訪れた訪問者Ｖの訪問者識別情報を表示装置の画面上で選択あるいは表示し、訪問者Ｖに携帯させるべきＩＤ発信装置１のＩＤ情報を受付用読取装置３で読み取らせると、当該ＩＤ情報が受付用コンピュータ４の記憶装置に一旦書き込まれ、その後、受付用コンピュータ４の演算処理装置によって、記憶装置に書き込まれたＩＤ情報（訪問者に携帯させるべきＩＤ発信装置１のＩＤ情報）と画面上において選択されている特定の訪問者識別情報とを関連付けるための処理が実行され、入退場管理ファイルが更新される。受付コンピュータ４での受付時の処理が完了すると、訪問者識別情報、訪問先名称およびＩＤ情報が互いに関連付けられた状態で入退場管理ファイル（データ記憶サーバ２）に格納される。
【００３４】
なお、受付時において、ＩＤ発信装置１のＩＤ情報が受付用コンピュータ４に入力された時刻は、訪問者Ｖの「入場時刻」として、訪問者識別情報と関連付けられた状態で入退場管理ファイルに格納され、退場時において、ＩＤ発信装置１のＩＤ情報が受付用コンピュータ４に入力された時刻は、訪問者Ｖの「退場時刻」として、訪問者識別情報と関連付けられた状態で入退場管理ファイルに格納される（図４の（ａ）参照）。
【００３５】
入口用読取装置５は、図２および図３に示すように、電波や電磁界を利用してＩＤ発信装置１と無線通信を行い、ＩＤ発信装置１から発信されたデータ（本実施形態ではＩＤ情報）を受信し、受信したデータを入口用読取装置５の装置識別情報とともに制御用コンピュータ８に送信するものである。すなわち、入口用読取装置５は、ＩＤ発信装置１から発信されたデータを受信する手段と、受信したデータ、当該データの受信時刻および入口用読取装置５の装置識別情報を制御用コンピュータ８に送信する手段とを備えている。なお、入口用読取装置５の装置識別情報とは、入口用読取装置５を識別（特定）するための情報（例えば、番号、文字、記号、ＩＰアドレスなど）である。
【００３６】
入口用読取装置５は、図１に示すように、入口エリアＡに設けられている。受付を済ませた訪問者Ｖが最初の管理エリアＢに至るまでにＩＤ発信装置１（図示略）のＩＤ情報を読み取ることができるよう、本実施形態では、入口エリアＡのうち、受付コーナーＤと管理エリアＢ4との間に設けられている。入口用読取装置５の取付位置に制限はなく、ＩＤ発信装置１との通信可能距離や入口エリアＡの内装等を考慮しつつ、天井、床下、壁面などの適宜な場所に取り付ければよい。また、入口エリアＡに入場ゲートを設け、この入場ゲートに入口用読取装置５を設けてもよい。なお、図示は省略するが、入口用読取装置５を複数設けてもよい。
【００３７】
所在確認用読取装置６は、図２および図３に示すように、電波や電磁界を利用してＩＤ発信装置１と無線通信を行い、ＩＤ発信装置１から発信されたデータ（ＩＤ情報等）を受信し、受信したデータを所在確認用読取装置６の装置識別情報とともに制御用コンピュータ８に送信するものである。すなわち、所在確認用読取装置６は、ＩＤ発信装置１から発信されたデータを受信する手段と、受信したデータ、当該データの受信時刻および所在確認用読取装置６の装置識別情報を制御用コンピュータ８に送信する手段とを備えている。なお、所在確認用読取装置６の装置識別情報とは、所在確認用読取装置６を識別（特定）するための情報（例えば、文字列、ＩＰアドレスなど）である。
【００３８】
所在確認用読取装置６の個数や設置場所に制限はない。図１に示すように、本実施形態では、複数の所在確認用読取装置６，６，…のうちの二つを入口エリアＡに設け、残りを管理エリアＢ１〜Ｂ５に設けている。なお、入口エリアＡの所在確認用読取装置６は、入口用読取装置５よりも奥に設けられている。
【００３９】
進入阻止手段７は、管理エリアＢに訪問者を立ち入らせないようにするための手段であり、一の管理エリアＢにつき一つずつ設けられている。
【００４０】
管理エリアＢ1〜Ｂ3の進入阻止手段７1〜７3は、引き戸であり、いずれも入口用読取装置５の近傍に立つ訪問者Ｖからは視認できない位置に設けられている。進入阻止手段７1〜７3においては、開扉した状態が「進入許可状態」であり、閉扉した状態が「進入禁止状態」である。なお、図示は省略するが、進入阻止手段７1〜７3は、それぞれ、制御用コンピュータ８からの信号を受信する手段、引き戸を開閉させるための動力源（モータなど）、動力源に供給する電力量を制御する手段などを備えている。
【００４１】
管理エリアＢ1の進入阻止手段７1は、管理エリアＢ1の出入口（行き来可能な入口エリアＡとの境界）に設けられていて、制御用コンピュータ８（図２，３参照）から進入許可信号（訪問者の進入を許可する旨の信号）を受信したときには進入許可状態（入口エリアＡからの進入を許可する状態）を選択し、制御用コンピュータ８から進入禁止信号（訪問者の進入を禁止する旨の信号）を受信したときには進入禁止状態（入口エリアＡからの進入を禁止する状態）を選択する。すなわち、進入阻止手段７1は、制御用コンピュータ８から進入許可信号を受信したときに閉扉していれば、開扉させるべく動力源を駆動させ、制御用コンピュータ８から進入禁止信号を受信したときに開扉していれば、閉扉させるべく動力源を駆動させる。なお、進入阻止手段７1は、訪問者Ｖの進入を物理的に阻止し得る手段である。
【００４２】
管理エリアＢ2の進入阻止手段７2は、管理エリアＢ2の出入口（行き来可能な他の管理エリアＢ6との境界）に設けられていて、制御用コンピュータ８から進入許可信号を受信したときには進入許可状態（管理エリアＢ6からの進入を許可する状態）を選択し、制御用コンピュータ８から進入禁止信号を受信したときには進入禁止状態（管理エリアＢ6からの進入を禁止する状態）を選択する。
【００４３】
管理エリアＢ3の進入阻止手段７3は、管理エリアＢ3の出入口（行き来可能な他の管理エリアＢ7との境界）に設けられていて、制御用コンピュータ８から進入許可信号を受信したときには進入許可状態（管理エリアＢ7からの進入を許可する状態）を選択し、制御用コンピュータ８から進入禁止信号を受信したときには進入禁止状態（管理エリアＢ7からの進入を禁止する状態）を選択する。
【００４４】
管理エリアＢ4の進入阻止手段７4は、管理エリアＢ4を照らす照明機器であり、入口用読取装置５の近傍に立つ訪問者Ｖからは視認できない位置（行き来可能な入口エリアＡとの境界よりも奥まった位置の天井）に設けられている。なお、図示は省略するが、進入阻止手段７4は、制御用コンピュータ８からの信号を受信する手段、受信した信号に基づいて照明機器のオン・オフを切り替える手段などを備えている。
【００４５】
而して、進入阻止手段７4は、制御用コンピュータ８（図２，３参照）から進入許可信号を受信したときには進入許可状態（入口エリアＡからの進入を許可する状態）を選択し、制御用コンピュータ８から進入禁止信号を受信したときには進入禁止状態（入口エリアＡからの進入を禁止する状態）を選択する。なお、進入阻止手段７4においては、照明が点灯した状態が「進入許可状態」であり、消灯した状態が「進入禁止状態」である。すなわち、進入阻止手段７4は、制御用コンピュータ８から進入許可信号を受信したときに消灯していれば、進入許可状態を選択すべく照明機器をオン（点灯）に切り替え、制御用コンピュータ８から進入禁止信号を受信したときに点灯していれば、進入禁止状態を選択すべく照明機器をオフ（消灯）に切り替える。
【００４６】
なお、進入阻止手段７4は、訪問者Ｖの進入を心理的に阻止し得る手段である。すなわち、照明機器を消灯させて、管理エリアＢ4を暗がりにすると、管理エリアＢ4の存在が認識され難くなり、あるいは、進入し難い雰囲気が醸成されるようになるので、訪問者Ｖは、管理エリアＢ4の前を通過するようになる（管理エリアＢ4に立ち入らないように誘導される）。なお、訪問者Ｖの居ないとき、あるいは、訪問者Ｖの進入が許可されているときには照明機器を点灯させ、管理エリアＢ4の照明として機能させる。
【００４７】
管理エリアＢ5，Ｂ6の進入阻止手段７5，７6は、ロールスクリーンであり、いずれも、入口用読取装置５の近傍に立つ訪問者Ｖからは視認できない位置に設けられている。進入阻止手段７5，７6においては、スクリーンを巻き上げた状態が「進入許可状態」であり、スクリーンを巻き出した状態が「進入禁止状態」である。なお、図示は省略するが、進入阻止手段７5，７6は、それぞれ、制御用コンピュータ８からの信号を受信する手段、ロールスクリーンを上下（巻取り、巻出し）させるための動力源（モータなど）、動力源に供給する電力量を制御する手段などを備えている。
【００４８】
而して、進入阻止手段７5，７6は、管理エリアＢ5，Ｂ6の出入口（行き来可能な入口エリアＡとの境界）に設けられていて、制御用コンピュータ８から進入許可信号を受信したときには進入許可状態（入口エリアＡからの進入を許可する状態）を選択し、制御用コンピュータ８から進入禁止信号を受信したときには進入禁止状態（入口エリアＡからの進入を禁止する状態）を選択する。すなわち、進入阻止手段７5，７6は、制御用コンピュータ８から進入許可信号を受信したときにスクリーンが巻き出されていれば、スクリーンを巻き取るべく動力源を駆動させ、制御用コンピュータ８から禁止信号を受信したときにスクリーンが巻き取られていれば、スクリーンを巻き出させるべく動力源を駆動させる。
【００４９】
なお、進入阻止手段７5，７6は、訪問者Ｖの進入を心理的に阻止し得る手段である。すなわち、スクリーンを巻き出して、管理エリアＢ5，Ｂ6を覆い隠すと、進入し難い雰囲気が醸成されるようになるので、訪問者Ｖは、管理エリアＢ5，Ｂ6の手前で引き返すか、あるいは、管理エリアＢ1への進入が許可されていれば、管理エリアＢ1に進入するようになる（管理エリアＢ5，Ｂ6に立ち入らないように誘導される）。
【００５０】
管理エリアＢ7の進入阻止手段７7は、照明機器とレーザプロジェクタとを組み合わせたものであり、入口用読取装置５の近傍に立つ訪問者Ｖからは視認できない位置に設けられている。なお、図示は省略するが、進入阻止手段７7は、制御用コンピュータ８からの信号を受信する手段、受信した信号に基づいて照明機器およびレーザプロジェクタのオン・オフを切り替える手段などを備えている。なお、レーザプロジェクタとは、レーザエフェクトを作り出す際に使用される機器であって、レーザ光源を内蔵している。
【００５１】
而して、進入阻止手段７7は、制御用コンピュータ８から進入許可信号を受信したときには進入許可状態（管理エリアＢ6からの進入を許可する状態）を選択し、制御用コンピュータ８から進入禁止信号を受信したときには進入禁止状態（管理エリアＢ6からの進入を禁止する状態）となる。
【００５２】
なお、進入阻止手段７7は、訪問者Ｖの進入を心理的に阻止し得る手段である。すなわち、照明機器を消灯させつつレーザプロジェクタを起動させて、管理エリアＢ7への出入口にレーザエフェクトを表示すると、管理エリアＢ7の存在が認識され難くなり、あるいは、進入し難い雰囲気が醸成されるようになるので、訪問者Ｖは、管理エリアＢ7の手前で引き返すか、あるいは、管理エリアＢ2への進入が許可されていれば、管理エリアＢ2に進入するようになる（管理エリアＢ7に立ち入らないように誘導される）。なお、訪問者Ｖの居ないとき、あるいは、訪問者Ｖの進入が許可されているときには照明機器を点灯させ、かつ、レーザプロジェクタを停止させる。
【００５３】
図２に示す制御用コンピュータ８は、進入阻止手段７を制御するものであり、記憶装置、演算処理装置、ネットワークアダプタなどを備えている。
【００５４】
制御用コンピュータ８は、図３に示すように、送信元特定手段８１と、訪問先検索手段８２と、経路検索手段８３と、移動速度算出手段８４と、到達時刻算出手段８５と、信号送信手段８６として機能する。
【００５５】
送信元特定手段８１は、入口用読取装置５または所在確認用読取装置６から送信されたデータ（ＩＤ情報、受信時刻、装置識別情報など）を受信するとともに、受信したデータの送信元を特定（識別）する。すなわち、制御用コンピュータ８の記憶装置には、入口用読取装置５および所在確認用読取装置６，６，…の「装置識別情報」が予め記憶されており、送信元特定手段８１は、受信した「装置識別情報」と記憶装置の「装置識別情報」とを対比することにより、データの送信元を特定する。また、送信元特定手段８１は、「ＩＤ情報」を検索キーとしてデータ記憶サーバ２の入退場管理ファイルを検索し、「ＩＤ情報」を含むデータ列に入口用読取装置５または所在確認用読取装置６での「受信時刻」を書き加える。なお、入口用読取装置５が複数設けられている場合において、二以上の入口用読取装置５からデータを受信した場合には、最初に受信したデータに含まれる「受信時刻」を入退場管理ファイルに書き加え、二番目以降に受信したデータを上書きしないように設定してもよいし、順次上書きをするように設定してもよい。
【００５６】
訪問先検索手段８２は、入口用読取装置５または所在確認用読取装置６から送信されたデータ（ＩＤ情報、受信時刻、装置識別情報）の中から「ＩＤ情報」を抽出するとともに、データ記憶サーバ２の入退場管理ファイル（訪問者記憶手段）の中から、抽出した「ＩＤ情報」に対応する「訪問先名称」を抽出する。本実施形態の訪問先検索手段８２は、送信元特定手段８１で特定された送信元が「入口用読取装置５」である場合には、「ＩＤ情報」を検索キーとして入退場管理ファイルを検索し、「ＩＤ情報」に対応する「訪問先名称」を入退場管理ファイルの中から読み出す。なお、訪問先検索手段８２は、送信元特定手段８１で特定された送信元が「訪問先名称」に対応する管理エリアＢの所在確認用読取装置６であるか否かを判定し、肯定判定が得られた場合には、訪問者Ｖが訪問先に到達した旨の情報をデータ記憶サーバ２や受付用コンピュータ４などに送信する。
【００５７】
経路検索手段８３は、データ記憶サーバ２の経路設定ファイル（経路記憶手段）の中から、「訪問先名称（訪問先検索手段８２により抽出されたもの）」に対応する「経路情報」を抽出する。すなわち、経路検索手段８３は、訪問先検索手段８２により抽出された「訪問先名称」を検索キーとして経路設定ファイルを検索し、経路設定ファイルの中から、「訪問先名称」に対応する「経路情報」を読み出す。
【００５８】
移動速度算出手段８４は、入口用読取装置５にてＩＤ情報が受信されてから所在確認用読取装置６にてＩＤ情報が受信されるまでの時間差に基づいて、訪問者の移動速度を算出する。本実施形態の移動速度算出手段８４は、送信元特定手段８１で特定された送信元が訪問先以外に設けられた所在確認用読取装置６である場合に動作し、「ＩＤ情報（所在確認用読取装置６から送信されたもの）」を検索キーとして入退場管理ファイルを検索し、ＩＤ情報と関連付けられたデータ列の中から、入口用読取装置５での「受信時刻」を抽出し、その後、所在確認用読取装置６での受信時刻から入口用読取装置５での受信時刻を差し引くことで「時間差（所要時間）」を算出し、入口用読取装置５から所在確認用読取装置６までの距離（経路設定ファイルに予め記憶させておく）を「時間差」で除することで、訪問者の「移動速度」を算出する。なお、施設内に点在する所在確認用読取装置６からのＩＤ情報を受信する度に、「移動速度」を算出し、「移動速度」を随時更新してもよいし、特定の所在確認用読取装置６（例えば、入口用読取装置５の隣りに位置する所在確認用読取装置６）からのＩＤ情報を受信したときだけ、「移動速度」を算出してもよい。
【００５９】
到達時刻算出手段８５は、移動速度算出手段８４で算出した「移動速度」に基づいて、所在確認用読取装置６よりも前方の管理エリアＢに到達する「時刻」を算出する。すなわち、到達時刻算出手段８５は、経路検索手段８３で抽出された「経路情報」の中から、移動速度の算出に使用された所在確認用読取装置６から特定の管理エリアＢまでの「距離」を抽出し、抽出した「距離」を「移動速度」で除し、所在確認用読取装置６での受信時刻に加えることで、前記「時刻」を算出する。
【００６０】
信号送信手段８６は、経路検索手段８３で抽出した経路情報に含まれている「進入禁止エリア名」に対応する管理エリアＢの進入阻止手段７に対し、進入禁止状態を選択させるための進入禁止信号を送信する。すなわち、信号送信手段８６は、経路情報の中から「進入禁止エリア名」を抽出し、この「進入禁止エリア名」に対応する管理エリアＢの進入阻止手段７に対し、進入禁止信号を送信する。なお、本実施形態の信号送信手段８６は、到達時刻算出手段８５で算出した「時刻」に基づき、訪問者Ｖが進入禁止に係る管理エリアＢに到達するまでに、当該管理エリアＢの進入阻止手段７に対して進入禁止信号を送信する。また、本実施形態の信号送信手段８６は、経路情報の中から「進入許可エリア名」を抽出し、進入許可エリア名に係る管理エリアＢに訪問者Ｖが到達するよりも前に、当該管理エリアＢの進入阻止手段７に対し、進入許可状態を選択させるための進入許可信号を送信する。
【００６１】
また、信号送信手段８６は、制御用コンピュータ８に入力された「装置識別情報」が訪問先に設けられた所在確認用読取装置６のものである場合には、進入阻止手段７の進入禁止状態を解除すべく、「進入禁止エリア名」に対応する管理エリアＢの進入阻止手段７に対し、進入許可信号を送信する。
【００６２】
本実施形態に係る訪問者誘導システムは、以上のように構成されており、ＩＤ発信装置１を携帯する訪問者Ｖが入口エリアＡに立ち入り、ＩＤ発信装置１から発信されたＩＤ情報が入口用読取装置５で受信されると、データ記憶サーバ２に記憶されている経路情報に基づき、当該訪問者に対応する「進入禁止エリア」が設定されるようになる。つまり、本実施形態に係る訪問者誘導システムによれば、施設を訪れた訪問者Ｖは、進入禁止エリア名に対応する管理エリアＢ以外の管理エリアＢ（進入許可エリア名に対応する管理エリアＢ）を通行するようになるので、訪問者Ｖを特定の管理エリアＢ（訪問先）に誘導しつつ、行動範囲を制限することが可能となる。
【００６３】
しかも、進入阻止手段７は、入口用読取装置６の近傍の訪問者Ｖから視認できない位置に設けられているので、「監視されている」という不快な印象を訪問者Ｖに与えることなく、訪問者の行動範囲を管理・制限することが可能となる。
【００６４】
また、本実施形態では、訪問者Ｖの移動速度を算出し、適宜なタイミングで進入阻止手段７に対して進入禁止信号を送信するようにしたので、訪問者Ｖが進入禁止エリアに到達する前に進入阻止手段７を「進入禁止状態」に切り替えることができる。つまり、本実施形態に係る訪問者誘導システムによれば、訪問者Ｖの行動範囲を的確に制限することができる。
【００６５】
なお、本実施形態では、訪問者Ｖの移動速度および各管理エリアＢへの到達時刻を算出し、適宜なタイミングで進入禁止信号を送信する場合を例示したが、ＩＤ情報に対応する訪問先および経路情報が抽出された時点で、進入禁止エリア名に対応する管理エリアＢの進入阻止手段７に対して進入禁止信号を一斉送信するように構成してもよい。この場合、移動速度算出手段８４および到達時刻算出手段８５は不要となる。
【００６６】
また、制御用コンピュータ８に所在確認用読取装置６の「装置識別情報」が入力される度に、所在確認用読取装置６よりも手前（入口エリアＡ側）に「進入禁止エリア名」に対応する管理エリアＢが存在するか否かを判定し、肯定判定が得られた場合に、当該管理エリアＢの進入阻止手段７に対し、進入許可信号を送信するように構成してもよい。このようにすると、例えば、管理エリアＢ4が「進入禁止エリア名」に指定されている場合において、管理エリアＢ4の入口を超えたところに位置する所在確認用読取装置６の「装置識別情報」が入力された場合には、管理エリアＢ4の進入阻止手段７4に対して、進入許可信号が送信され、進入阻止手段７4の「進入禁止状態」が速やかに解除されるようになる。
【００６７】
また、本実施形態では、経路情報に「進入禁止エリア名」が含まれており、「進入禁止エリア名」に対応する管理エリアＢの進入阻止手段７に対し、進入禁止信号を送信する場合を例示したが、経路情報に「進入許可エリア名」だけが含まれている場合には、信号送信手段８６の機能を変更すればよい。この場合、信号送信手段８６は、進入許可状態を選択させるための進入許可信号を送信するとともに、進入許可エリア名に対応する管理エリアＢ以外の管理エリアＢの進入阻止手段７に対し、進入禁止状態を選択させるための進入禁止信号を送信する。
【００６８】
データを書き込み可能なＩＤ発信装置１を使用するとともに、受付用読取装置３に代えて、読取・書込装置（以下、「リーダライタ装置」という。）を受付用コンピュータ４に接続しておき、例えば、「訪問先名称」をＩＤ発信装置１に書き込んでもよい。この場合、ＩＤ発信装置１は、自身の記憶手段に記憶された「ＩＤ情報」および「訪問先名称」を読み出して各読取装置に発信（送信）する。また、受付用コンピュータ４は、受付コーナーＤを訪れた訪問者の「訪問先名称」と訪問者Ｖに携帯させるべきＩＤ発信装置１の「ＩＤ情報」と関連付ける処理を行うとともに、リーダライタ装置を介して、「訪問先名称」をＩＤ発信装置１の記憶手段に書き込む処理を行う。また、入口用読取装置５および所在確認用読取装置６は、それぞれ、ＩＤ発信装置１から発信されたデータ（ＩＤ情報、訪問先名称）を受信するとともに、当該データ、受信時刻および自身の装置識別情報を制御用コンピュータ８に送信する。
【００６９】
「訪問先名称」をＩＤ発信装置１に書き込んだ場合には、入口用読取装置５または所在確認用読取装置６から送信されるデータに「訪問先名称」が含まれることになるので、制御用コンピュータ８の訪問先検索手段８２は不要となる。ちなみに、経路検索手段８３は、制御用コンピュータ８に入力された訪問先名称（入口用読取装置５または所在確認用読取装置６から送信されたもの）を検索キーとして経路設定ファイルを検索し、当該訪問先名称に対応する経路情報を経路設定ファイルの中から抽出するように構成すればよい。
【００７０】
「訪問先名称」をＩＤ発信装置１に書き込んだ場合においても、施設を訪れた訪問者Ｖは、進入禁止エリア名に対応する管理エリアＢ以外の管理エリアＢ（進入許可エリア名に対応する管理エリアＢ）を通行するようになるので、訪問者Ｖを特定の管理エリアＢ（訪問先）に誘導しつつ、行動範囲を制限することが可能となる。
【００７１】
「経路情報」をＩＤ発信装置１に書き込んでもよい。この場合、ＩＤ発信装置１は、自身の記憶手段に記憶された「ＩＤ情報」および「経路情報」を読み出して各読取装置に発信（送信）する。また、受付用コンピュータ４は、訪問先名称（入退場管理ファイルに事前登録されたもの、または入力装置を介して入力されたもの）に対応する経路情報を経データ記憶サーバ２の経路設定ファイル（路記憶手段）の中から読み出す処理を行うとともに、リーダライタ装置を介して、「経路情報」をＩＤ発信装置１の記憶手段に書き込む処理を行う。また、入口用読取装置５および所在確認用読取装置６は、それぞれ、ＩＤ発信装置１から発信されたデータ（ＩＤ情報、経路情報）を受信するとともに、当該データ、受信時刻および自身の装置識別情報を制御用コンピュータ８に送信する。
【００７２】
「経路情報」をＩＤ発信装置１に書き込んだ場合には、入口用読取装置５または所在確認用読取装置６から送信されるデータに「経路情報」が含まれることになるので、制御用コンピュータ８の訪問先検索手段８２および経路検索手段８３は不要となる。ちなみに、信号送信手段８６は、制御用コンピュータ８に入力された経路情報（入口用読取装置５または所在確認用読取装置６から送信されたもの）に含まれている「進入禁止エリア名」に対応する管理エリアＢの進入阻止手段７に対し、進入禁止状態を選択させるための進入禁止信号を送信するように構成すればよい。
【００７３】
「経路情報」をＩＤ発信装置１に書き込んだ場合においても、施設を訪れた訪問者Ｖは、進入禁止エリア名に対応する管理エリアＢ以外の管理エリアＢ（進入許可エリア名に対応する管理エリアＢ）を通行するようになるので、訪問者Ｖを特定の管理エリアＢ（訪問先）に誘導しつつ、行動範囲を制限することが可能となる。
【符号の説明】
【００７４】
Ａ    入口エリア
Ｂ（Ｂ1〜Ｂ7）  管理エリア
１    ＩＤ発信装置
２    データ記憶サーバ（訪問先記憶手段、経路記憶手段）
３    受付用読取装置
４    受付用コンピュータ
５    入口用読取装置
６    所在確認用読取装置
７（７1〜７7）  進入阻止手段
８    制御用コンピュータ（制御装置）
【図１】
0005319625.tif 000002
【図２】
0005319625.tif 000003
【図３】
0005319625.tif 000004
【図４】
0005319625.tif 000005